(57)【要約】  【課題】  放熱効率を向上させることができ、小型化を可能とする撮像モジュールを提供する。  【解決手段】  ケース５と、ケース５の内部に収容された撮像素子２と、外周部がケース５の内面に保持され、主面を撮像素子２の被写体側の表面に当接させて設置された透明放熱板６とを具備する撮像モジュール１である。撮像素子２で生じた熱が、撮像素子２の被写体側の表面に当接された透明放熱板６に良好に伝わる。そして、撮像素子２から透明放熱板６に伝わった熱は、透明放熱板６の外周部を保持しているケース５に良好に伝わる。その結果、撮像素子２で生じた熱を効率的に撮像モジュール１の外部に放熱することが可能となる。【選択図】  図１
2010278603.tif 000002
【特許請求の範囲】
【請求項１】
ケースと、
該ケースの内部に収容された撮像素子と、
外周部が前記ケースの内面に保持され、主面を前記撮像素子の被写体側の表面に当接させて設置された透明放熱板と
を具備することを特徴とする撮像モジュール。
【請求項２】
前記透明放熱板の被写体側に間隔を空けて設置されたレンズユニットを具備することを特徴とする請求項１に記載の撮像モジュール。
【発明の詳細な説明】
【技術分野】
【０００１】
本発明は、放熱効率を向上させることができ、小型化を可能とする撮像モジュールに関する。
【背景技術】
【０００２】
携帯電話およびデジタルカメラ等に内蔵される撮像素子は、被写体の光を光学レンズにより撮像素子に集光させるように焦点を調整して、撮像素子とレンズとの位置を固定して撮像基板に実装される。
【０００３】
この撮像素子は、レンズに対する熱的な影響を小さくするために撮像素子で生じた熱を放熱することが重要であることから、例えば、撮像素子が実装された撮像基板の、レンズと反対側の主面にヒートシンクが設けられている構成が採用されている（例えば、特許文献１を参照。）。この構成により、撮像素子において発生した熱がヒートシンクに伝わって放熱される。
【０００４】
また、携帯電話およびデジタルカメラ等においては、その筐体にヒートシンクが接するような構成とした場合には、さらに良好な放熱効果も期待できることから、一般的には、ヒートシンクを有する携帯電話およびデジタルカメラ等を用いる構成が採用されている。
【先行技術文献】
【特許文献】
【０００５】
【特許文献１】特開2008−245144号公報
【発明の概要】
【発明が解決しようとする課題】
【０００６】
一方、自動車等で使用される撮像モジュールは、高温時には70〜80℃程度の高温の動作環境で使用され、また、防水の要求を満たすために密封した構造であることが多いので、熱が撮像モジュールの内部に留まりやすく、放熱の要求を満たすことがさらに重要となる。
【０００７】
しかしながら、携帯電話およびデジタルカメラ等で採用されていた構成のように、ヒートシンクを撮像基板におけるレンズとは反対側の主面に設置することによって放熱効率を向上させようとすると、撮像モジュールを小型化することが困難になる。
【０００８】
また、撮像素子で発生した熱がレンズに伝わりにくいようにするために、レンズおよび撮像素子の間の間隔を大きくしていたので、撮像モジュールを小型化することがさらに困難になるという問題点があった。
【０００９】
本発明は以上のような従来の技術における問題点に鑑みて案出されたものであり、その目的は、小型化および放熱効率を向上させることを可能とする撮像モジュールを供給することにある。
【課題を解決するための手段】
【００１０】
本発明の撮像モジュールは、ケースと、該ケースの内部に収容された撮像素子と、外周部が前記ケースの内面に保持され、主面を前記撮像素子の被写体側の表面に当接させて設置された透明放熱板とを具備することを特徴とするものである。
【００１１】
また、本発明の撮像モジュールは、上記構成において、前記透明放熱板の被写体側に間隔を空けて設置されたレンズユニットを具備することを特徴とするものである。
【発明の効果】
【００１２】
本発明の撮像モジュールによれば、ケースと、ケースの内部に収容された撮像素子と、外周部がケースの内面に保持され、主面を撮像素子の被写体側の表面に当接させて設置された透明放熱板とを具備することから、撮像素子で生じた熱が、撮像素子の被写体側の表面に当接された透明放熱板に良好に伝わる。そして、撮像素子から透明放熱板に伝わった熱は、透明放熱板を介して透明放熱板の外周部を保持しているケースに良好に伝わる。その結果、撮像素子で生じた熱を効率的に撮像モジュールの外部に放熱することが可能となる。
【００１３】
また、本発明の撮像モジュールによれば、透明放熱板の被写体側に間隔を空けて設置されたレンズユニットを具備するときには、透明放熱板およびレンズユニットの間には間隔が存在するので、撮像素子で発生して透明放熱板に伝わった熱が、レンズユニットに伝わるのを抑制することができる。
【００１４】
また、外周部がケースの内面に保持され、主面を撮像素子の被写体側の表面に当接させて設置された透明放熱板を具備することから、撮像素子で生じた熱を効率的に撮像モジュールの外部に放熱することが可能となるので、撮像素子で生じた熱がレンズユニットに伝わるのを抑制することができる。従って、レンズユニットおよび撮像素子の間隔を小さくすることができ、小型化が可能な撮像モジュールを提供することができる。
【図面の簡単な説明】
【００１５】
【図１】本発明の撮像モジュールについて実施の形態の一例を示す断面図である。
【図２】本発明の撮像モジュールについて実施の形態の他の例を示す断面図である。
【発明を実施するための形態】
【００１６】
以下に、本発明の撮像モジュールについて図面を参照しつつ詳細に説明する。
【００１７】
図１は、本発明の撮像モジュールの実施の形態の一例を示す断面図である。なお、以下の説明においては、撮像モジュールの被写体側を前面側と呼び、その反対側を背面側と呼ぶ。
【００１８】
図１に示す本例の撮像モジュール１は、ケース５と、ケース５の内部に収容された撮像素子２と、外周部がケース５の内面に保持され、主面を撮像素子２の被写体側の表面に当接させて設置された透明放熱板６とを具備する。
【００１９】
このような構成により、撮像素子２で生じた熱が、撮像素子２の被写体側の表面に当接された透明放熱板６に良好に伝わる。そして、撮像素子２から透明放熱板６に伝わった熱は、透明放熱板６を介して透明放熱板６の外周部を保持しているケース５に良好に伝わる。その結果、撮像素子２で生じた熱を透明放熱板６およびケース５を介して効率的に撮像モジュール１の外部に放熱することができる。
【００２０】
このような撮像モジュール１は、例えば車載用として用いられる撮像モジュール１であり、道路上の白線の撮像あるいは車両を運転する運転手の死角を撮像する機能を有る。その撮像機能については、例えば自動車の走行の制御を行なうエレクトロニック・コントロール・ユニット（ＥＣＵ）により動作が制御される。なお、撮像モジュール１から出力された電気信号は、ＥＣＵによって画像信号に変換され、例えば運転席の前方に設置されたディスプレイに表示されることとなる。
【００２１】
撮像素子２は、ＣＣＤイメージセンサ，ＣＭＯＳイメージセンサ等の半導体イメージセンサ素子である。
【００２２】
撮像基板３は、例えばガラスクロスにエポキシ樹脂を含浸させて形成した、あるいはエポキシ樹脂にガラスフィラーを添加して形成したプリント配線基板により構成されている。撮像基板３の表面や内部には、搭載される撮像素子２と異なる他の部品等の端子との電気的接続あるいはこれらを固定する配線導体およびアース用のグランド配線が形成されている。このような配線導体およびグランド配線は、銅，金等の導電性金属をメッキ法により形成する方法、あるいは予め配線導体およびグランド配線のパターン形状に形成した金属箔を接着する方法、あるいは全面に金属箔を被着した基板からエッチングにより不要な部分を除去して形成する方法等を用いることにより、プリント配線基板の表面および内部に形成される。
【００２３】
このような撮像基板３は、例えば市販の表裏全面に銅箔を被着した銅貼基板を準備し、この銅貼基板を所望の大きさに切断するとともに、表面に被着した銅箔を希塩酸等の酸性溶液で所望のパターンとなるようにエッチングすることにより製作される。なお、必要に応じてレーザ光またはドリルを用いて貫通孔を撮像基板３に形成し、この貫通孔に金属ペーストを充填し加熱して硬化させることによって貫通導体を形成して、撮像基板３の表裏面の配線導体間を電気的に接続することも可能である。
【００２４】
撮像基板３の背面側の主面には、撮像素子２からの電気信号を処理するＩＣ（図示せず）、および撮像基板３の配線導体とＥＣＵとを電気的に接続するケーブル（図示せず）を接続するためのコネクタ（図示せず）等の部品が搭載されている。
【００２５】
本例の撮像モジュール１のレンズユニット４は、図１に示すように、透明放熱板６の被写体側に間隔９を空けて設置されているのが好ましい。このように透明放熱板６およびレンズユニット４の間には間隔９が存在すると、撮像素子２で発生して透明放熱板６に伝わった熱が、レンズユニット４に伝わるのを抑制することができる。
【００２６】
また、このレンズユニット４は、被写体からの光を撮像素子２に集光する機能を有し、例えば、光を広角度で集光するために前面側を凸形状とした第１レンズ41と、第１レンズ41を通過した光を光線として平行に近づけるための第２レンズ42と、第３レンズ43とのレンズ群により構成されている。レンズ４が上述の３枚のレンズからなる場合は、例えば、前面側から第１レンズ41、第２レンズ42、第３レンズ43の順で重なるように配置される。
【００２７】
また、本発明の撮像モジュール１は、レンズユニット４を有さないものであってもよい。例えば、ピンホールカメラ等のようにレンズを有さず、被写体側のケースに所定の大きさの貫通孔を設けた構成の撮像モジュールであってもよい。
【００２８】
また、レンズを有することなく、自動で被写体との焦点を調整することが可能な撮像素子を使用した撮像モジュールであってもよい。
【００２９】
いずれの場合であっても、外周部がケース５の内面に保持された透明放熱板６を、その主面を撮像素子２の被写体側の表面に当接させて設置することができる。
【００３０】
ケース５は、内部に撮像素子２を収容しており、内面に透明放熱板６を保持しているものである。また、本例の撮像モジュール１では、図１に示すように、撮像素子２が搭載された撮像基板３を内面に支持ピン７で固定して保持しているものである。なお、リテーナ８により、最も外側に配置された第１レンズ41をケース５に押さえ付けるようにして、第１レンズ41が固定されている。
【００３１】
また、本例の撮像モジュール１では、ケース５およびレンズユニット４のホルダは一体に形成されているが、ケース５とレンズユニット４のホルダとは独立した部材同士であってもよい。
【００３２】
本例の場合では、ホルダは、前面側に配置されている押え治具としてのリテーナ８と、背面側に配置されるレンズ保持具としてのバレル（ケース５と一体に構成されている）とから構成されている。ホルダのバレルに第２レンズ42および第３レンズ43が固定され、第１レンズ41はリテーナ８によりバレルに押さえ付けるようにして固定されている。
【００３３】
これらリテーナ８およびバレルは、例えば次に述べる方法により作製される。
【００３４】
バレルは、その形状に合わせて、本例ではケース５と一体の形状に形成されたキャビティを有する射出成形用の型を準備して、このキャビティ内にバレル用の原材料を流し込んで固化させて成形することにより所定の形状に形成する射出成形法を用いて作製することができる。また同様に、リテーナ８は、リテーナ８の形状に合わせた形状に形成されているキャビティを有する射出成形用の型を準備して、このキャビティ内にリテーナ８用の原材料を流し込んで固化させて成形することにより所定の形状に形成して作製することができる。このようなリテーナ８およびバレルは、例えばポリカーボネイト（ＰＣ）やポリフタルアミド（ＰＰＡ）等の絶縁性の樹脂により構成されて軽量化が図られている。なお、通常は、リテーナ８およびバレルの熱膨張および熱収縮を合わせるために、両者に同一の材料を用いることが好ましい。
【００３５】
また、本例の撮像モジュール１では、図１に示すように、ケース５はバレルと一体になった前面側ケース51および背面側ケース52で構成されており、撮像基板３および透明放熱板６は前面側ケース51に保持されているが、背面側ケース52に保持されていてもよい。
【００３６】
また、ケース５は、前面側ケース51および背面側ケース52ではなく、光軸を含む面を境界として、両側に２つに分割されるものであってもよい。
【００３７】
また、本例の撮像モジュール１における、撮像素子２のケース５の内部への収納形態を以下に説明する。
【００３８】
まず、撮像素子２が搭載された撮像基板３を準備し、次に、前面側ケース51と一体的に設けられているとともに背面側へ延伸している複数の支持ピン７を、撮像基板３に貫通させ、撮像基板３の貫通孔の内側面と支持ピン７の側面とを、例えば半田等により接合する。なお、半田等による固定をより堅固にするために、予め撮像基板３の貫通孔の内側面と支持ピン７の側面とに、金属を主成分としたメッキ膜を形成しておくことが望ましい。
【００３９】
なお、前面側ケース51と一体的に設けられた支持ピン７は、略棒状に形成されたものであり、例えば直径が0.4〜1.5ｍｍの棒状のものである。また、支持ピン７は、撮像基板３を安定に固定するという観点から撮像基板３の外周部に３本以上配置されてあることが好ましい。
【００４０】
透明放熱板６は、外周部がケース５の内面に保持され、主面を撮像素子２の被写体側の表面に当接させて設置されているものである。
【００４１】
この構成によって、撮像素子２で生じた熱が、撮像素子２の被写体側の表面に当接された透明放熱板６に良好に伝わる。そして、撮像素子２から透明放熱板６に伝わった熱は、透明放熱板６を介して透明放熱板６の外周部を保持しているケース５に良好に伝わる。その結果、撮像素子２で生じた熱を透明放熱板６およびケース５を介して効率的に撮像モジュール１の外部に放熱することが可能となる。
【００４２】
さらに、レンズユニット４は透明放熱板６とは間隔９を空けて設置されており、撮像素子２で生じた熱がレンズユニット４に伝わるのを抑制することができることから、レンズユニット４および撮像素子２の間隔を小さくすることができる。その結果、撮像モジュール１を小型化することが可能となる。
【００４３】
図１に示す例において、透明放熱板６は、外周部を前面側ケース51の内面に当接させた状態で、前面側に力を加えることによって前面側ケース51の内部空間に圧入して、前面側ケース51の内面に保持される状態としている。
【００４４】
また、図１に示す構成以外にも、アルミニウム等の金属の放熱体によって形成された透明放熱板６の支持部（図示せず）を前面側ケース51の内面に設置してもよい。この場合には、支持部は透明放熱板６よりも熱伝導性が高いものとなるため、撮像素子２で生じて透明放熱板６に伝わった熱を、支持部を介してより良好に前面側ケース51へ伝熱させることができ、より良好に撮像モジュール１の外部へ放熱することができる。
【００４５】
また、前面側ケース51の内部における透明放熱板６を支持している部位およびその周囲のみに、熱伝導性の高い金属粒子を多く含有するように形成された前面側ケース51を使用してもよい。この場合も、熱伝導性の高い金属粒子を多く含有することによってケース５の熱伝導性が高められるので、透明放熱板６から伝わった熱をより良好に撮像モジュール１の外部へ放熱することができる。
【００４６】
また、一方の端部が透明放熱板６の外周部に当接しているとともに、他方の端部が撮像モジュール１の外部に露出しており、前面側ケース51の外周部を貫通している棒状放熱体（図示せず）を有する構成であってもよい。この場合も、この棒状放熱板を通してより良好に撮像モジュール１の外部へ放熱することができる。
【００４７】
透明放熱板６の寸法の概略を以下に示す。なお、以下の説明においては、図１における縦方向を縦といい、図１における横方向を横といい、図１における奥行方向を奥行という。
【００４８】
例えば、縦が50ｍｍで、横が40ｍｍで、奥行が40ｍｍである略直方体形状の撮像モジュール１に使用する場合であれば、透明放熱板６の寸法は、例えば縦が５ｍｍで、横が25ｍｍで、奥行が25ｍｍである。
【００４９】
透明放熱板６の形状は、光軸方向からみた場合に、正方形状，長方形状，円形状，楕円形状または菱形状等のいずれであってもよい。
【００５０】
また、撮像素子２の被写体側の表面の形状に合わせて、撮像素子２の被写体側の表面と当接している透明放熱板６の主面の形状を変形させることが好ましい。例えば、撮像素子２の被写体側の表面が凸面状に隆起した形状である場合であれば、対応する透明放熱板６の主面は、その凸面状に合致した凹面状の形状であることが好ましい。このような場合には、撮像素子２の被写体側の表面および対応する透明放熱板６の主面が双方とも平坦な面であり、それら平面な面同士が当接している場合と比較して、撮像素子２の被写体側の表面および対応する透明放熱板６の主面の接触面積を大きくすることができる。従って、撮像素子２で生じた熱を良好に透明放熱板６に伝えることができる。
【００５１】
透明放熱板６は、結晶ガラス，水晶ガラス，ダイヤモンドガラス，サファイアガラスまたは石英ガラスのいずれかから成るとよい。これらの材料は、透明である上に熱伝導性が高いので、撮像素子２で生じた熱を良好に前面側ケース51に伝え、撮像モジュール１の外部へ放熱することができる。また、これらの材料は、透明なので、図１に示すように、撮像素子２およびレンズユニット４の間に位置するように、外周部が前面側ケース51の内面に保持されていても、撮像素子２にレンズユニット４からの被写体光が入射するのを妨げない。
【００５２】
また、透明放熱板６には、例えば、赤外線カットフィルタとして機能する膜が被覆されていてもよい。
【００５３】
例えば、具体的には、レンズユニット４側の透明放熱板６の表面に、波長750ｎｍ以上の近赤外線をカットする、ＴｉＯ２層およびＳｉＯ２層の誘電体を交互に積層してなる光学多層薄膜フィルタを真空蒸着するとよい。
【００５４】
この場合は、レンズユニット４から撮像素子２への入射光に含まれる赤外線を、透明放熱板６において吸収して撮像モジュール１の外部へより効率的に放熱させることができるので、撮像モジュール１内の温度上昇を抑制することができ、好ましい。
【００５５】
ここで、撮像素子２で生じた熱が透明放熱板６を介して前面側ケース51に伝わった場合に、熱が前面側ケース51を通ってレンズユニット４に伝わってしまう虞がある。そこで、レンズユニット４の前面側ケース51への設置の形態は、図２に示す例のようにしてもよい。図２は、本発明の撮像モジュール１の実施の形態の他の例を示す断面図であり、図２において図１と同様の箇所には同じ符号を付してある。
【００５６】
図２に示す例では、前面側ケース51はレンズユニット４を保持している、バレルとして機能するレンズユニット保持部10を有しており、レンズユニット保持部10と前面側ケース51の内面との間には環状の溝11が形成されている。この例のような構成とすると、透明放熱板６を介して前面側ケース51に伝わった熱は、レンズユニット４に至るには環状の溝11を迂回しなければならず、レンズユニット４に伝熱しにくいため、撮像素子２で生じた熱が透明放熱板６を介してケース５からレンズユニット４に伝わるのを抑制することができる。さらに、撮像素子２で生じた熱がレンズユニット４に伝わるのを抑制することができることから、レンズユニット４および撮像素子２の間隔を小さくすることができる。その結果、撮像モジュール１を小型化させることが可能となる。
【００５７】
また、レンズユニット保持部10に対向する前面側ケース51の内面となる環状の溝11の側面に１以上の段差（図示せず）を形成してもよく、その場合には、撮像素子２で生じた熱が透明放熱板６および前面側ケース51を経てレンズユニット４に至る伝熱経路がより長くなるので、撮像素子２で生じた熱がレンズユニット４に伝わるのを抑制することができる。
【００５８】
このレンズユニット保持部10は、図２に示す例のように前面側ケース51に一体的に形成されていてもよく、あるいは、前面側ケース51の前面側に設けられた貫通孔にバレルとして挿入されて設置されていてもよく、また、前面側ケース51の前面側に設けられたねじ孔にバレルとしてねじ込まれて設置されていてもよい。
【実施例】
【００５９】
本発明の撮像モジュール１の実施例を以下に説明する。なお、本実施例においては、図１に示す構成の撮像モジュール１を作製した。
【００６０】
まず、ケース５は、前面側ケース51および背面側ケース52で構成された、ポリカーボネートから成るものとした。
【００６１】
また、ケース５の内部に収容される撮像素子２としては、ＣＣＤイメージセンサを使用した。
【００６２】
また、外周部がケース５の内面に保持されている透明放熱板６は、サファイアガラスから成るものとした。この透明放熱板６の熱伝導率は34（Ｗ／ｍ・Ｋ）であった。また、レンズユニット４側の透明放熱板６の主面に、ＴｉＯ２層およびＳｉＯ２層の誘電体層を交互に積層してなる光学多層薄膜フィルタを真空蒸着させた。
【００６３】
また、撮像素子２が実装される撮像基板３は、ガラスクロスにエポキシ樹脂を含浸させて形成したものを用いた。また、撮像基板３は、前面側ケース51に形成された支持ピン７に固定されるようにした。
【００６４】
また、レンズユニット４は、第１レンズ41，第２レンズ42および第３レンズ43から成るものとした。
【００６５】
それぞれの部材の主な寸法は、以下に示す通りとした。なお、以下の説明においては、図１における縦方向を縦といい、図１における横方向を横といい、図１における奥行方向を奥行という。
【００６６】
前面側ケース51の全体の大きさは、縦を30ｍｍとし、横を25ｍｍとし、奥行を25ｍｍとした。また、背面側ケース52の全体の大きさは、縦を10ｍｍとし、横を25ｍｍとし、奥行を25ｍｍとし、側面および底面の厚さを２ｍｍとした。また、撮像基板３は、縦を２ｍｍとし、横を25ｍｍとし、奥行を25ｍｍとした。また、透明放熱板６は、縦を１ｍｍとし、横を17ｍｍとし、奥行を17ｍｍとした。また、撮像素子２は、縦を１ｍｍとし、横を10ｍｍとし、奥行を10ｍｍとした。
【００６７】
レンズユニット４の第１レンズ41，第２レンズ42および第３レンズ43の直径は、それぞれ15ｍｍ，10ｍｍおよび10ｍｍとした。また、レンズユニット４と透明放熱板６との間の間隔９は、３ｍｍとした。
【００６８】
さらに、比較例である従来の構成の撮像モジュールとして、透明放熱板６に代えて、アクリル樹脂にＣｕイオンをドープさせてなる、一般的な赤外線除去フィルタをレンズユニット４および撮像素子２の間に、撮像素子２の表面には当接させずに設置した撮像モジュールを準備した。この赤外線除去フィルタの寸法は、縦を１ｍｍとし、横を15ｍｍとし、奥行を15ｍｍとした。
【００６９】
この比較例の撮像モジュールにおけるそれぞれの部材の主な寸法は、実施例の撮像モジュールと同様とした。
【００７０】
これら実施例および比較例の撮像モジュールについて、それぞれ撮像基板３の電源回路に150ｍＡの定格電流を入力し、撮像モジュールの周辺温度を85℃に保ち、撮像モジュールにおける撮像素子２およびレンズユニット４の第３レンズ43の温度を計測した。
【００７１】
温度の計測の具体的な方法は以下に示す。
【００７２】
まず、前面側ケース51の側壁における、撮像素子２および第３レンズ43に対応する位置に、それぞれ直径0.3ｍｍの貫通孔を形成した。
【００７３】
次に、それらの貫通孔に直径が0.3ｍｍよりわずかに小さい白金熱電対を挿入し、白金熱電対の先端を、それぞれ撮像素子２および第３レンズ43に当接させるものとした。
【００７４】
計測の結果、撮像素子２および第３レンズ43の温度は、比較例の撮像モジュールにおいては120℃および106℃であり、これに対して実施例の撮像モジュール１においては116℃および100℃であった。
【００７５】
従って、実施例の撮像モジュール１における撮像素子２およびレンズユニット４における温度は、比較例の撮像モジュールにおける撮像素子２およびレンズユニット４における温度より、それぞれ４℃および６℃低いことが分かった。
【００７６】
この結果より、本発明の実施例の撮像モジュール１は、外周部がケース５の内面に保持され、主面を撮像素子２の被写体側の表面に当接させて設置された透明放熱板６を有していることから、撮像素子２で生じた熱を効率的に撮像モジュール１の外部に放熱することが可能となることが分かった。
【００７７】
また、一般的に撮像モジュールのレンズユニットの温度が105℃より小さい値であれば、撮像素子で生じた熱がレンズに及ぼす影響は無視できるものとみなされていることから、実施例の撮像モジュール１はレンズユニット４の第３レンズ43が100℃であったことにより、実施例の撮像モジュール１における撮像素子２で生じた熱の放熱効果が実用的に十分であることが分かった。
【００７８】
また、図１に示すように、レンズユニット４のレンズの中で、第１レンズ41および第２レンズ42は、第３レンズ43と比較して、熱の発生源である撮像素子２から離れている。従って、第３レンズ43が100℃であったことより、第１レンズ41および第２レンズ42の温度は100℃以下であることが分かった。従って、撮像素子２で生じた熱が第１レンズ41および第２レンズ42に及ぼす影響も、当然に実用上は無視できるものとみなされる。
【００７９】
なお、本発明は、以上の実施の形態の例および実施例に限定されるものではなく、本発明の要旨を逸脱しない範囲内で種々の変更を施しても何ら差し支えない。例えば、本発明の撮像モジュール１は、前面側ケース51および背面側ケース52の間にゴム等から成る防水用パッキンが配置されていてもよい。この場合には、自動車用または船舶用等の防水性が要求される用途に撮像モジュール１を好適に使用することができる。
【００８０】
このとき、防水用パッキンによる気密性の向上に伴い、撮像モジュール１の内部の温度が上昇しても、外周部がケース５の内面に保持され、主面を撮像素子２の被写体側の表面に当接させて設置された透明放熱板６を有していることから、撮像素子２で生じた熱を透明放熱板６を介してケース５から効率的に撮像モジュール１の外部に放熱することが可能となる。従って、防水性および放熱性を兼ね備える撮像モジュール１となる。
【符号の説明】
【００８１】
１：撮像モジュール
２：撮像素子
３：撮像基板
４：レンズユニット
41：第１レンズ
42：第２レンズ
43：第３レンズ
５：ケース
51：前面側ケース
52：背面側ケース
６：透明放熱板
７：支持ピン
８：リテーナ
９：間隔
10：レンズユニット保持部
11：溝
【図１】
2010278603.tif 000003
【図２】
2010278603.tif 000004